(57)【要約】【課題】ハイブリッドチューナを備えることによりアナログ及びデジタル放送を受信可能な電子装置において、リフレッシュ命令などの信号に基づく映像（アナログ放送の映像）の乱れの発生を抑止することを可能とした、チューナを備えた電子装置の提供。【解決手段】アナログ放送受信時においては、メインマイコン１１からハイブリッドチューナ１３へと信号線１８を介して送出する信号がある場合を除き、スイッチ回路１５をデジタルマイコン１２とハイブリッドチューナ１３の間を接続するように制御することで、メインマイコン１１からサブマイコン１６等に送出されるリフレッシュ命令などの信号がハイブリッドチューナ１３入力されることを抑止する。【選択図】図２
0003131609.tif 000002
【実用新案登録請求の範囲】
【請求項１】
アナログ放送の放送信号とデジタル放送の放送信号の双方を受信可能なハイブリッドチューナを備えた電子装置であって、装置全体の制御などを行う主制御ＩＣと、前記ハイブリッドチューナが受信したデジタル放送信号に基づく信号に対する処理を主に行うデジタル処理ＩＣと、を備え、前記主制御ＩＣと前記ハイブリッドチューナとの間の制御信号を伝送する信号線と前記デジタル処理ＩＣと前記ハイブリッドチューナとの間の制御信号を伝送する信号線とを共有化し、当該信号線上に、前記主制御ＩＣと前記ハイブリッドチューナ間の接続又は前記デジタル処理ＩＣと前記ハイブリッドチューナ間の接続の何れかを選択的に切り替えるスイッチ回路を設け、前記主制御ＩＣは、アナログ放送受信時においては、当該主制御ＩＣから前記ハイブリッドチューナへと前記信号線を介して送出する信号がある場合を除き、前記スイッチ回路を前記デジタル処理ＩＣと前記ハイブリッドチューナ間を接続するように制御する機能を備えるＩＣであることを特徴とするハイブリッドチューナを備えた電子装置。
【請求項２】
前記主制御ＩＣは、前記アナログ放送受信時において、アナログ放送のチャンネル変更指示があった場合には、前記スイッチ回路を当該主制御ＩＣと前記ハイブリッドチューナ間を接続するように制御して前記信号線を介して前記主制御ＩＣから前記ハイブリッドチューナへ前記チャンネル変更に必要な制御信号を送出する処理と、リフレッシュ命令を送出する処理を実行する機能を備えるＩＣであることを特徴とする請求項１記載のハイブリッドチューナを備えた電子装置。
【請求項３】
前記主制御ＩＣは、前記アナログ放送受信時において、前記電子装置が備える表示画面に表示される映像若しくは前記電子装置が外部装置へ出力する映像信号に基づく映像が、受信中のアナログ放送信号に基づく映像でない場合には、前記スイッチ回路を前記主制御ＩＣと前記ハイブリッドチューナ間を接続するように制御し前記信号線を介して前記主制御ＩＣから前記ハイブリッドチューナへリフレッシュ命令を送出する、又は、前記スイッチ回路を前記デジタル処理ＩＣと前記ハイブリッドチューナ間を接続するように維持したまま前記信号線を介して前記デジタル処理ＩＣから前記ハイブリッドチューナへリフレッシュ命令を送出させる機能を備えるＩＣであることを特徴とする請求項１又は請求項２に記載のハイブリッドチューナを備えた電子装置。
【請求項４】
前記「受信中のアナログ放送信号に基づく映像を表示していない場合」が、メニュー画面の表示中又は電子番組表画面の表示中であることを特徴とする請求項３記載のハイブリッドチューナを備えた電子装置。
【考案の詳細な説明】
【技術分野】
【０００１】
本考案は、チューナを備えることにより放送波を受信可能な電子装置に関し、特に、アナログ放送とデジタル放送の双方を受信可能なハイブリッドチューナを備えた電子装置に関する。
【背景技術】
【０００２】
電子装置は、各種の情報を電気的に扱うことが可能な構成とされている。当該電子装置に備えられる各種デバイス（ＩＣなど）においては、各種の情報を保持・記憶しておくため（情報が失われないようにするため）、若しくは、誤動作防止の観点などから所定のステータス状態へ戻すなどのための、リフレッシュ動作を必要とする場合がある。
【０００３】
上記のごとくリフレッシュ動作は必要なものであるが、リフレッシュ動作中に他の処理ができなくなること（例えば、メモリのリフレッシュ中におけるアクセスの制限など）が問題となる場合や、消費電力の増加の問題などが生じる場合があり、これらに関する従来技術が特許文献１〜特許文献３などによって開示されている。
【０００４】
【特許文献１】特開２０００−２２１９２３号公報
【特許文献２】特開２００３−１５１２７０号公報
【特許文献３】特開２００４−２２１２３号公報
【考案の開示】
【考案が解決しようとする課題】
【０００５】
アナログ放送を受信可能なチューナを備えた電子装置の場合、上記したリフレッシュ動作を行わせるためのリフレッシュ命令などがチューナに接続された信号線を流れることに起因して、映像（アナログ放送に基づく映像）にノイズが現れる問題を生ずる場合がある。このような問題は、複数のデバイス間（各種ＩＣ及びチューナ）の制御信号の送受信を、共通した信号線によって行う構成としている場合により顕著となる（信号線を共有しているため、他のデバイスへの命令であるリフレッシュ命令などの各種の信号も、チューナに入力されることとなり、当該各信号がノイズの原因となるため、問題が顕著化する）。
【０００６】
本考案は上述した点に鑑み、チューナを備えることによりアナログ放送波を受信可能な電子装置において、リフレッシュ命令などの信号に基づく映像の乱れの発生を抑止することを可能とした、チューナを備えた電子装置を提供することを目的とする。
【課題を解決するための手段】
【０００７】
請求項１のハイブリッドチューナを備えた電子装置は、アナログ放送の放送信号とデジタル放送の放送信号の双方を受信可能なハイブリッドチューナを備えた電子装置であって、装置全体の制御などを行う主制御ＩＣと、前記ハイブリッドチューナが受信したデジタル放送信号に基づく信号に対する処理を主に行うデジタル処理ＩＣと、を備え、前記主制御ＩＣと前記ハイブリッドチューナとの間の制御信号を伝送する信号線と前記デジタル処理ＩＣと前記ハイブリッドチューナとの間の制御信号を伝送する信号線とを共有化し、当該信号線上に、前記主制御ＩＣと前記ハイブリッドチューナ間の接続又は前記デジタル処理ＩＣと前記ハイブリッドチューナ間の接続の何れかを選択的に切り替えるスイッチ回路を設け、前記主制御ＩＣは、アナログ放送受信時においては、当該主制御ＩＣから前記ハイブリッドチューナへと前記信号線を介して送出する信号がある場合を除き、前記スイッチ回路を前記デジタル処理ＩＣと前記ハイブリッドチューナ間を接続するように制御する機能を備えるＩＣであることを特徴とする。
【０００８】
上記構成によれば、主制御ＩＣが、アナログ放送受信時において、必要な場合（主制御ＩＣからハイブリッドチューナへと信号線を介して送出する信号がある場合）を除き、主制御ＩＣとハイブリッドチューナとの間の信号線を切断するようにスイッチ回路を制御する機能を有するため、ハイブリッドチューナに接続された信号線上に流れる信号を最小限に抑止させることが可能となる。即ち、主制御ＩＣは装置内の各部の制御等を行うＩＣであるため、ハイブリッドチューナ以外のデバイスに対する命令（信号）も絶えず送受信しているものであり、当該主制御ＩＣとハイブリッドチューナとの間の信号線が常に接続されている場合には前記した各信号の影響がハイブリッドチューナへと及ぶおそれがあるが、上記構成によれば、必要な場合を除いて、主制御ＩＣとハイブリッドチューナとの間の信号線が切断される（デジタル処理ＩＣとハイブリッドチューナとが接続される）ため、主制御ＩＣから発せられる各種の信号がハイブリッドチューナに接続された信号線上に流れることを最小限に抑止させることが可能となるのである。
【０００９】
請求項２のハイブリッドチューナを備えた電子装置は、請求項１記載のハイブリッドチューナを備えた電子装置であって、前記主制御ＩＣは、前記アナログ放送受信時において、アナログ放送のチャンネル変更指示があった場合には、前記スイッチ回路を当該主制御ＩＣと前記ハイブリッドチューナ間を接続するように制御して前記信号線を介して前記主制御ＩＣから前記ハイブリッドチューナへ前記チャンネル変更に必要な制御信号を送出する処理と、リフレッシュ命令を送出する処理を実行する機能を備えるＩＣであることを特徴とする。
【００１０】
上記構成によれば、アナログ放送受信時において、チャンネル変更の処理を実行する際に、リフレッシュ命令の送出（ハイブリッドチューナのリフレッシュ動作の実行）も行われる。
【００１１】
請求項３のハイブリッドチューナを備えた電子装置は、請求項１又は請求項２に記載のハイブリッドチューナを備えた電子装置であって、前記主制御ＩＣは、前記アナログ放送受信時において、前記電子装置が備える表示画面に表示される映像若しくは前記電子装置が外部装置へ出力する映像信号に基づく映像が、受信中のアナログ放送信号に基づく映像でない場合には、前記スイッチ回路を前記主制御ＩＣと前記ハイブリッドチューナ間を接続するように制御し前記信号線を介して前記主制御ＩＣから前記ハイブリッドチューナへリフレッシュ命令を送出する、又は、前記スイッチ回路を前記デジタル処理ＩＣと前記ハイブリッドチューナ間を接続するように維持したまま前記信号線を介して前記デジタル処理ＩＣから前記ハイブリッドチューナへリフレッシュ命令を送出させる機能を備えるＩＣであることを特徴とする。
【００１２】
上記構成によれば、アナログ放送受信時において、受信中のアナログ放送信号に基づく映像でない映像が画面表示されている場合があった際に、リフレッシュ命令の送出（ハイブリッドチューナのリフレッシュ動作の実行）が行われる。
【００１３】
請求項４のハイブリッドチューナを備えた電子装置は、請求項３記載のハイブリッドチューナを備えた電子装置であって、前記「受信中のアナログ放送信号に基づく映像を表示していない場合」が、メニュー画面の表示中又は電子番組表画面の表示中であることを特徴とする。
【００１４】
上記構成によれば、メニュー画面の表示中又は電子番組表画面の表示中において、リフレッシュ命令の送出（ハイブリッドチューナのリフレッシュ動作の実行）が行われる。
【００１５】
本考案に関する第１の他の発明であるチューナ−ＩＣ間接続制御プログラムは、アナログ放送の放送信号とデジタル放送の放送信号の双方を受信可能なハイブリッドチューナを備えた電子装置であって、装置全体の制御などを行う主制御ＩＣと、前記ハイブリッドチューナが受信したデジタル放送信号に基づく信号に対する処理を主に行うデジタル処理ＩＣと、を備え、前記主制御ＩＣと前記ハイブリッドチューナとの間の制御信号を伝送する信号線と前記デジタル処理ＩＣと前記ハイブリッドチューナとの間の制御信号を伝送する信号線とを共有化し、当該信号線上に、前記主制御ＩＣと前記ハイブリッドチューナ間の接続又は前記デジタル処理ＩＣと前記ハイブリッドチューナ間の接続の何れかを選択的に切り替えるスイッチ回路を設けた電子装置の、前記主制御ＩＣに、アナログ放送受信時において、前記ハイブリッドチューナに対して前記信号線を介して送出する信号があるか否かを判別するステップと、当該判別の結果送出する信号がある場合には前記スイッチ回路を前記主制御ＩＣと前記ハイブリッドチューナ間を接続するように制御するステップと、前記判別の結果送出する信号がない場合には前記スイッチ回路を前記デジタル処理ＩＣと前記ハイブリッドチューナ間を接続するように制御するステップと、を実行させることを特徴とする。
【００１６】
本考案に関する第２の他の発明であるチューナ−ＩＣ間接続制御プログラムは、前記第１の他の発明たるチューナ−ＩＣ間接続制御プログラムであって、前記アナログ放送受信時において、アナログ放送のチャンネル変更指示の有無を判別するステップと、これがあった場合に、前記スイッチ回路を前記主制御ＩＣと前記ハイブリッドチューナ間を接続するように制御するステップと、前記信号線を介して前記主制御ＩＣから前記ハイブリッドチューナへ前記チャンネル変更に必要な制御信号を送出するステップと、映像信号にミュートをかけるステップと、当該ミュート中に前記ハイブリッドチューナへリフレッシュ命令を送出するステップと、を実行することを特徴とする。
【００１７】
本考案に関する第３の他の発明であるチューナ−ＩＣ間接続制御プログラムは、前記第１又は第２の他の発明たるチューナ−ＩＣ間接続制御プログラムであって、前記アナログ放送受信時において、前記電子装置が備える表示画面に表示される映像若しくは前記電子装置が外部装置へ出力する映像信号に基づく映像が、受信中のアナログ放送信号に基づく映像であるか否かを判別するステップと、当該判別の結果アナログ放送信号に基づく映像を表示していないと判断された場合に前記スイッチ回路を前記主制御ＩＣと前記ハイブリッドチューナ間を接続するように制御するステップと、を実行することを特徴とする。
【考案の効果】
【００１８】
本考案の請求項１記載のハイブリッドチューナを備えた電子装置によれば、アナログ放送受信時において、必要な場合（主制御ＩＣからハイブリッドチューナへと信号線を介して送出する信号がある場合）を除き、主制御ＩＣとハイブリッドチューナとの間の信号線が切断され（デジタル処理ＩＣとハイブリッドチューナとが接続される）、主制御ＩＣから発せられる各種の信号がハイブリッドチューナに接続される信号線上に流れることを最小限に抑止させることが可能となるため、装置内の各デバイスに対する命令（信号）を絶えず送受信している主制御ＩＣから発せられる各種の信号に起因してアナログ放送画面にノイズが発生することを抑止することが可能となる。
【００１９】
本考案の請求項２記載のハイブリッドチューナを備えた電子装置によれば、アナログ放送受信時において、チャンネル変更の処理を実行する際に、リフレッシュ命令の送出（ハイブリッドチューナのリフレッシュ動作の実行）も行われる。従って、ノイズの発生要因たるリフレッシュ命令を、チャンネル変更の処理を実行する際（チャンネル変更処理時には表示画面にミュートをかけるのが通常）に送出しているため、リフレッシュ命令に起因する画面の乱れをユーザに認識されることを抑止させることできる。
【００２０】
本考案の請求項３記載のハイブリッドチューナを備えた電子装置によれば、アナログ放送受信時において、受信中のアナログ放送信号に基づく映像ではない映像が画面表示されている場合（例えばメニュー画面の表示）があった際に、リフレッシュ命令の送出（ハイブリッドチューナのリフレッシュ動作の実行）が行われる。従って、リフレッシュ命令に起因する画面の乱れをユーザに認識されることを抑止させることできる。
【考案を実施するための最良の形態】
【００２１】
以下、本考案の具体的実施例について、図面を参照しながら説明する。なお、以下の実施態様は、本考案を具体化する際の一形態であって、本考案をその範囲内に限定するためのものではない。
【００２２】
図１は本考案に係る電子装置たる表示装置（アナログ放送及びデジタル放送を受信・表示可能なテレビであり、以下単にテレビとする）の、主に本考案に関する部分のみの概略を示したブロック図である。
【００２３】
図１に示されるように、テレビ１は、装置全体の制御などを行う主制御ＩＣたるメインマイコン１１と、アナログ放送の放送信号とデジタル放送の放送信号の双方を受信可能なハイブリッドチューナ１３と、当該ハイブリッドチューナ１３において受信され復調処理をされたデジタル放送信号に基づいてＭＰＥＧ規格に準じた複号化処理などを行うデジタル処理ＩＣたるデジタルマイコン１２と、を備える。テレビ１内には各部の機能を担うＩＣが複数備えられており、その一例としてここでは、メインマイコンの補助的な機能を担う（装置に備えられる冷却用ファンの制御などを行う）サブマイコン１６と、外部装置から入力される映像／音声信号の切り替え処理を主におこなうＡＶスイッチＩＣ１７とを記載している。
【００２４】
前述のごとく、メインマイコン１１は装置全体の制御を行うものであり、各機能部（各種ＩＣ）を制御するために情報を送受信する必要があるが、各ＩＣごとに専用の通信線を形成したのではメインマイコン１１の端子数が多数必要になり且つ信号線を形成するパターン面積も増大することとなる。従って、同一の信号線を用いて複数のＩＣと通信を行う（マスタとなるＩＣと複数のスレーブＩＣを同一の信号線を用いて接続する）方法が用いられており、当該方式の代表的な規格としてＩ２Ｃが知られている。
【００２５】
本実施例のテレビ１においても、メインマイコン１１をマスタとして、サブマイコン１６とＡＶスイッチＩＣ１７とハイブリッドチューナ１３とがＩ２Ｃ規格の信号線１８によって相互に接続されている。当該信号線１８上であって、メインマイコン１１とハイブリッドチューナ１３との間の信号線１８上に設けられるスイッチＩＣ１５は、メインマイコン１１とハイブリッドチューナ１３間の接続、又は、デジタルマイコン１２とハイブリッドチューナ１３間の接続の何れかを選択的に切り替えるスイッチ回路として動作するものであり、当該切り替え動作は、信号線１９（信号線１８とは別に形成される信号線であって、メインマイコン１１からの制御信号をスイッチＩＣ１５に送信するための信号線）を介してメインマイコン１１によって制御される。スイッチＩＣ１５により、デジタルマイコン１２とハイブリッドチューナ１３間の接続が形成された場合には、デジタルマイコン１２がマスタとなりハイブリッドチューナ１３がスレーブとなる通信路が形成される。なお、メインマイコン１１とデジタルマイコン１２の間には、相互に情報を送受信するための信号線１４（信号線１８とは別の信号線）が形成される。
【００２６】
図２は、スイッチＩＣ１５による切り替え動作による接続関係の概略を示したブロック図である。同図（ａ）に示されるように、メインマイコン１１とハイブリッドチューナ１３間の接続が形成される場合には、メインマイコン１１をマスタとして、スレーブとなるサブマイコン１６とＡＶスイッチＩＣ１７とハイブリッドチューナ１３が信号線１８によってそれぞれ接続されることとなる。このような接続状態においては、メインマイコン１１から送出されるサブマイコン１６やＡＶスイッチＩＣ１７に対する制御信号（例えばリフレッシュ命令）もハイブリッドチューナ１３に対して入力されてしまうこととなるため、ハイブリッドチューナ１３にはなんら関係のない制御信号に起因して、アナログ放送の表示画面が乱れる（ハイブリッドチューナ１３によって受信されるアナログ放送信号にノイズが乗る）おそれがある。一方、図（ｂ）に示されるように、デジタルマイコン１２をマスタとして、スレーブとなるハイブリッドチューナ１３が接続されることとなる接続状態（本実施例では１対１の接続であるが、１対ｎ接続となることを除外するものではない）においては、メインマイコン１１から送出されるサブマイコン１６やＡＶスイッチＩＣ１７に対する制御信号がハイブリッドチューナ１３に対して入力されることは無い。
【００２７】
図３は、本実施例のテレビ１の本考案に関する処理の概略（主にメインマイコン１１における処理の概略）を示したフローチャートである。
【００２８】
ステップ３０１では、デジタル放送受信モード（デジタル放送視聴中）であるのかアナログ放送受信モード（アナログ放送視聴中）であるかの判別を行う。当該判別は、信号線１４を介してメインマイコン１１とデジタルマイコン１２とで相互にステータス状況を送受信することによりメインマイコン１１によって判別を行う。なお、メインマイコン１１において常に受信モードを判別可能なように情報を保持している場合にはそれによってもよい。
【００２９】
ステップ３０１の判別の結果、アナログ放送受信モードであった場合には、メインマイコン１１とハイブリッドチューナ１３との間を接続する（図２（ａ）の状態となる）ようにスイッチＩＣ１５に対して信号線１９を介して命令を送出することにより、メインマイコン１１によってスイッチＩＣ１５を制御し、また、信号線１４を介してデジタルマイコン１２に命令を送出することで、デジタルマイコン１２をスタンバイ状態にさせる（ステップ３０２）。デジタルマイコン１２のスタンバイ状態とは、アナログ放送受信モードにおいては基本的にデジタルマイコン１２における処理は必要ないため、一部を除いてデジタルマイコン１２の機能を停止させることにより省電力モードに切り替えるものである。この状態では、デジタルマイコン１２は基本的に外部からの入力を待っている状態であり信号線１８に対する制御信号等の送出を行うことは無い。
【００３０】
続くステップ３０３では、メインマイコン１１によってハイブリッドチューナ１３を制御し、アナログ放送の受信処理（ユーザによって選択されたチャンネルの受信処理）を行う。なお、本実施例はテレビであるので、表示画面にアナログ放送に基づく映像が表示されることとなる。
【００３１】
ハイブリッドチューナ１３における受信が開始された後に（より具体的には、例えば、メインマイコン１１から送出された“選択されたチャンネルの受信命令”に対するハイブリッドチューナ１３からの返信（正常に受信した旨の返信）が信号線１８を介してあった際に）、デジタルマイコン１２とハイブリッドチューナ１３との間を接続する（図２（ｂ）の状態となる）ようにスイッチＩＣ１５に対して信号線１９を介して命令を送出することにより、メインマイコン１１によってスイッチＩＣ１５を制御する（ステップ３０４）。
【００３２】
当該ステップ３０２〜ステップ３０４の処理により、アナログ放送受信時においては本来使用されないＩＣであるデジタルマイコン１２（スタンバイ状態であり信号線１８に対する制御信号等の送出を行うことが基本的に無いＩＣ）とハイブリッドチューナ１３とが接続され、本来アナログ放送受信時においてハイブリッドチューナ１３と常時接続されてハイブリッドチューナ１３に対する制御を行うメインマイコン１１と、ハイブリッドチューナ１３との接続が切断されるように、スイッチＩＣ１５が制御されることとなる。
【００３３】
一方、ステップ３０１の判別の結果、デジタル放送受信モードであった場合には、デジタルマイコン１２とハイブリッドチューナ１３との間を接続するようにスイッチＩＣ１５が制御され（ステップ３０５）、デジタルマイコン１２によってハイブリッドチューナ１３を制御し、デジタル放送の受信処理を行う（当然にデジタルマイコン１２は稼動状態となり、ＭＰＥＧ規格に準じた複号化処理なども実行する）。
【００３４】
ステップ３０４若しくはステップ３０６を経た、ステップ３０７〜ステップ３０８のループ処理では、ユーザによるチャンネル変更の有無と、電源オフ指示の有無を判別し、ユーザによるチャンネル変更指示があった場合には（ステップ３０７）、ステップ３０１へと戻って、上記処理を繰り返す。即ち、アナログ放送のチャンネル指示であった場合には、ステップ３０１からステップ３０２へと流れる処理となり、デジタル放送のチャンネル指示であった場合には、ステップ３０１からステップ３０５へと流れる処理となる。一方、電源オフ指示があった場合には（ステップ３０８）、電源オフ処理を行って処理を終了する。
【００３５】
以上のごとく、本実施例のテレビ１によれば、アナログ放送受信時において、必要な場合（本実施例では、ユーザによるチャンネル選択に基づくチャンネル変更指示）を除き、メインマイコン１１とハイブリッドチューナ１３との間の信号線が切断され（スタンバイ状態のデジタルマイコン１２とハイブリッドチューナ１３とが接続される）、メインマイコン１１から発せられる各種の信号（例えば、サブマイコン１６に対するリフレッシュ命令）がハイブリッドチューナ１３に接続される信号線１８上に流れることを最小限に抑止させることが可能となるため、装置内の各デバイスに対する命令（信号）を絶えず送受信しているメインマイコンから発せられる各種の信号に起因してアナログ放送画面にノイズが発生することを抑止することが可能となる。
【００３６】
さらに、上記説明からも明らかなように、本考案の適用にあたり、シンプルな構成（図１）を採用し且つ制御処理自体もスイッチＩＣに対する制御を主とする軽い処理とすることができるため、低コストにて本考案を実現することが可能である。
【００３７】
なお、上記処理により、基本的にはメインマイコン１１とハイブリッドチューナ１３との間の接続は切断されることとなる。勿論必要があるとき（メインマイコン１１からハイブリッドチューナ１３へと信号線１８を介して送出する信号がある場合）には、メインマイコン１１によってスイッチＩＣ１５を制御して接続を設定することが可能であるので、例えば、ハイブリッドチューナ１３のリフレッシュ動作を行う必要がある場合には、適宜リフレッシュ命令をハイブリッドチューナ１３に送出することが可能である。しかし、上記説明のごとく、アナログ放送視聴中にメインマイコン１１とハイブリッドチューナ１３とが接続されるとノイズを生じる（画面上で画像の乱れとして認識される）おそれがある。
【００３８】
ここで、チャンネル変更処理時には、映像信号にミュートをかける（チャンネル変更時の映像の乱れが画面表示されないようにするための）処理を行うため、当該期間中においては、ユーザにノイズの影響を画面上で画像の乱れとして認識されることが無い。従って、チャンネル変更処理時（より正確には映像信号にミュートがかけられている期間内）に、リフレッシュ命令を送出するように制御する（図３のステップ３０３の処理のチャンネル変更処理において、映像信号にミュートをかける処理を行い、当該ミュート処理中にハイブリッドチューナに対してリフレッシュ命令を送出する処理を行う）ことで、リフレッシュ命令に起因する画面の乱れをユーザに認識されることを抑止させることできる。
【００３９】
図４には、本考案に関する別の制御処理の概略を示した。なお、図３と同様の処理概念となるものについては同一の符号を使用している。
【００４０】
当該処理は、上記と同様にリフレッシュ命令に起因する画面の乱れをユーザに認識されることを抑止させるために、画面表示が視聴中のアナログ放送に基づく映像（番組映像）では無い場合に、にハイブリッドチューナに対してリフレッシュ命令を送出するものである。図４に示されるように、アナログ放送を視聴中における（ステップ３０１の判別の結果、ステップ３０２以降へと移行した後の）ユーザによるチャンネル変更若しくは電源オフ指示を待つステップ３０７〜ステップ３０８のループ処理の中におけるステップ４０１で、画面表示がアナログ放送に基づく映像であるか否かを判別し、当該判別結果が否定であった場合には、メインマイコン１１によってスイッチＩＣ１５を制御してメインマイコン１１とハイブリッドチューナ１３との接続を設定し、ハイブリッドチューナ１３に対してリフレッシュ命令を送出する処理を行う（ステップ４０２）。なお、“画面表示がアナログ放送に基づく映像で無い場合”とは、例えば、メニュー画面の表示処理中や、電子番組表の画面を表示中の場合などであり、原則的にこれらの状況はユーザからの指示によって発生するため、リモコン装置や本体操作部などからの信号に基づく情報を受けるメインマイコン１１にて判別可能である。ステップ４０２ではメニュー表示機能などの他の機能による処理も当然に実行され、当該機能の処理が終了した際にはステップ３０１へと戻って、以下処理が繰り返される。
【００４１】
以上のごとく、図４の処理によれば、アナログ放送受信時において、受信中のアナログ放送信号に基づく映像ではない映像が画面表示されている場合（例えばメニュー画面の表示など）があった際に、リフレッシュ命令の送出（ハイブリッドチューナのリフレッシュ動作の実行）が行われるため、リフレッシュ命令に起因する画面の乱れをユーザに認識されることを抑止させることできる（若しくは、仮に画面の乱れが生じたとしても、ユーザが受ける不快感を、番組映像表示時中の画面の乱れに比べて小さくすることができる）。なお、図４の処理では、メインマイコン１１からリフレッシュ命令を送出する処理としたが、場合によっては（例えば、メニュー表示機能などの“他の機能”の実行のためにメインマイコン１１とハイブリッドチューナ１３との接続の設定を行う必要が無い場合など）、デジタルマイコン１２からハイブリッドチューナ１３に対してリフレッシュ命令を送出させる（信号線１４を介してメインマイコン１１からデジタルマイコン１２に、ハイブリッドチューナ１３に対してリフレッシュ命令を送出するように命令する）ようにしてもよい（この場合には、スイッチＩＣ１５の切り替えを要しない）。
【００４２】
実施例中では、アナログ放送受信時においてデジタルマイコン１２をスタンバイ状態にするものとして説明したが、必ずしもこれに限るものではなく、信号線１８に対する信号の送出を停止させる処理とすれば、本考案が課題とするところにおいては同一の効果を得ることができる。また、仮にデジタルマイコン１２から信号線１８に対する信号の送出があったとしても、それがメインマイコン１１より低頻度であるならば、メインマイコン１１との接続状態で維持されるよりはノイズ低減の効果を得ることができると言える。
【００４３】
また、実施例中では、電子装置の具体例としてテレビを例に説明したが、本考案をこれに限るものではなく、例えばＨＤＤレコーダなどの記録再生装置や、パソコン、携帯端末装置など、ハイブリッド型のチューナを備える各種の電子装置に対して有効に適用することができる。
【図面の簡単な説明】
【００４４】
【図１】本考案に係る電子装置の主に本考案に関する部分のみの概略を示したブロック図
【図２】スイッチＩＣ１５による切り替え動作による接続関係の概略を示したブロック図
【図３】本考案に関する処理の概略を示したフローチャート
【図４】本考案に関する別の処理の概略を示したフローチャート
【符号の説明】
【００４５】
１      テレビ（ハイブリッドチューナを備えた電子装置）
１１    メインマイコン（主制御ＩＣ）
１２    デジタルマイコン（デジタル処理ＩＣ）
１３    ハイブリッドチューナ
１５    スイッチＩＣ（スイッチ回路）
１８    信号線
【図１】
0003131609.tif 000003
【図２】
0003131609.tif 000004
【図３】
0003131609.tif 000005
【図４】
0003131609.tif 000006